(57)【要約】  本発明は、閉じた包囲体内部における困難な処置を行なうための装置であって、ダクトを介して前記閉じた包囲体に接続された包囲体を備えている装置において；前記包囲体はモータ（９）により作動するピストン（８）を備えていて、急速な圧力解放を引き起こすために前記ピストン（８）が前記包囲体内部において所定位置になった場合、外部の流体リザーバと連通可能な特殊な幾何学形状（１１，１２，１３）を備えており、装置は、前記包囲体内において圧力の低下をもたらすように前記ピストンが前記包囲体の体積を増加する場合、閉じたままになっている出口バルブを備えている。
2008501519.tif 000002
【特許請求の範囲】
【請求項１】
閉じた包囲体（１８）内部における困難な処置を行なうための装置であって、ダクト（２１）を介して前記閉じた包囲体（１８）に接続された包囲体（１）を備えている装置において；
前記包囲体（１）はモータ（９）により作動するピストン（８）を備えていて、
前記包囲体（１）は、急速な圧力解放を引き起こすために前記ピストンが前記包囲体（１）内部において所定位置になった場合、外部の流体リザーバと連通可能な特殊な幾何学形状（１１，１２，１３）を備えており、
装置は、前記包囲体（１）及び（１８）内において圧力の低下をもたらすように前記ピストンが前記包囲体の体積を増加する場合、閉じたままになっている出口バルブを備えている、
装置。
【請求項２】
前記モータ（９）は空気式装置（２３，２４，２５，２６）である、請求項１に記載の装置。
【請求項３】
空気圧モータ（９）は、ガス入口（２５）と、前記包囲体（１）の前記ピストン（８）に接続されたピストン（２４）と、ガス出口（２６）とを備えた閉じた包囲体（２３）を備えている、請求項２に記載の装置。
【請求項４】
前記モータ（９）に対向していて、前記ピストン（８）を第一方向へ移動するようになっているばね（１０）を備えており、前記モータ（９）が前記ピストン（８）を反対方向へ移動するようになっている、請求項１−３のいずれか一項に記載の装置。
【請求項５】
前記包囲体（１）は、前記ピストンが所定位置に到達した場合に包囲体（１）の空間を外気と連通し急速な圧力解放をもたらすようになっている穴（１１）を備えている、請求項１−４のいずれか一項に記載の装置。
【請求項６】
前記包囲体（１）は、前記ピストンが所定位置に到達した場合に包囲体（１）の空間を外気と連通し急速な圧力解放をもたらすようになっている溝（１２）を備えている、請求項１−４のいずれか一項に記載の装置。
【請求項７】
前記包囲体（１）は、前記ピストンが所定位置に到達した場合に包囲体（１）の空間を外気と連通し急速な圧力解放をもたらすようになっている区画の拡大部分（１３）を備えている、請求項１−４のいずれか一項に記載の装置。
【請求項８】
端部の一方が前記包囲体（１８）の中に貫通するようになっていて、そして端部の他方が流体リザーバに接続されているダクト（２３）を備えている、請求項１−７のいずれか一項に記載の装置。
【請求項９】
一本以上のチューブ（２１；２３）が横断するようになっている、シリコン又はエラストマーで作られた円錐体であって、前記円錐体は前記包囲体（１８）の中へ貫通するようになっていて、前記包囲体（１８）の開口部（２２）に位置決めされるようになっている、請求項１−８のいずれか一項に記載の装置。
【請求項１０】
一方のダクト（２１，２３）は前記円錐体からより長く突出していて、前記包囲体（１８）内部により深く挿入されるようになっている、請求項８又は９に記載の装置。
【請求項１１】
人体の部分である閉じた包囲体を除いた閉じた包囲体（１８）における困難な処置のための処置方法であり、従って人体に適用される外科手術方法を除いた処置方法であって、前記閉じた包囲体（１８）は請求項１−１０のいずれか一項に記載の装置における包囲体（１）に連通するようになっている処置方法において：
モータ（９）がピストン（８）を前記包囲体（１）の体積を減少する方向に押していて、前記包囲体（１）の圧力は出口バルブ（７）が開かれていることにより一定に保たれている段階と；
前記モータ（９）が前記包囲体（１）の体積を増加するように前記ピストンを反対方向に引いていて、前記出口バルブ（７）が閉じられ、前記包囲体（１）の圧力が減圧されるようになっている段階と；
前記ピストン（８）が前記包囲体（１）の特殊な幾何学的形状（１１；１２；１３）に到達した場合、前記包囲体（１）が外部流体と連通することにより、前記包囲体（１）内の急速な圧力解放が行なわれる段階と；
を含んでいる処置方法。
【請求項１２】
前記モータ（９）が一方向だけに作動するモータ（９）であって、前記ピストン（８）の反対方向への移動は、ばね（１０）により行なわれる、請求項１１に記載の処置方法。
【請求項１３】
前記包囲体（１８）に流体を供給する段階を平行して含んでいる、請求項１１又は１２に記載の処置方法。
【発明の詳細な説明】
【技術分野】
【０００１】
本発明は、閉じたあるいはほぼ閉じた包囲体に充填し、洗浄し、アンブロッキングタイプ（ｕｎｂｌｏｃｋｉｎｇ−ｔｙｐｅ）の処置のための方法と装置とに関する。特に、複雑な形状及び／又は近づくことの困難なキャビテーに適したものである。本発明は建設分野、化学分野あるいは食品分野、医療用及び歯科用に応用できるものである。
【背景技術】
【０００２】
閉じた包囲体を洗浄するために、流体、気体あるいは必要に応じて化学洗浄剤の入っている液体を高圧で循環するべく、包囲体に二つの開口部を設置することは、公知な方法である。この方法には以下の制約があって：
包囲体の複雑な形状のために、壁面に流体を到達させることができず汚れたままになっていて；
さらに、単なる循環は比較的長い洗浄時間を必要とし、ありふれた効果しかない。
【０００３】
空気の詰まった閉じたあるいはほぼ閉じたキャビテーに液体又はのり状の物質を充填するために、キャビテーの開口部に水入口ダクトを接続し、第二開口部又は前記開口部のどちらかから空気を吐出することは公知である。しかしながら、そのような方法は、体積が大きいと時間を要するものである。さらに、形状が複雑で、薄くてせまく、エアポケットがあるキャビテーに完全に充填することは不可能である。
【０００４】
充填の解決方法が、歯科治療分野に係わる特許文献１に開示されていて、閉じた包囲体は歯の内部であって、その内部にペーストが詰められる。本解決方法は歯の空間を吸引すると同時にペーストを充填するようになっている。もし、歯の空間が大きい場合、充填に時間を要し、キャビテー全体の充填は困難でエアポケットが残存する欠点を有している。
【０００５】
第二の解決方法は歯科治療分野におけるものであって、特許文献２に開示されている。本方法は、液体をポンプにより押し込むことにより歯の内部に液体を充填するものである。本方法は気泡の発生を伴ない、そしてポンプの起動、停止の制御により発生する周期的なパルスによる圧力振動を利用している。本方法は、単純に加圧液体を循環させることにより洗浄作用、充填作用を改善する利点がある。しかしながら、装置は非常に複雑で、大きく、そしてポンプの特殊な運転にもとづく制御が著しく困難であるとの欠点がある。さらに、本方法はキャビテーからエアポケットを完全に除去することはできず、そして充填及び洗浄は不完全なものとなっている。
【０００６】
第三の解決方法が特許文献３に開示されていて、歯科医療の分野におけるものである。本解決方法はコンタクトレンズを収容できるチャンバを有している装置にもとづくものである。本装置は、一方で真空引きするポンプに接続され、歯の内部を真空にすることができ、他方で加圧した洗浄流体を歯の中に導入するピストンを有している。本装置はキャビテーション状態で運転され、前述の欠点を解決するべく高エネルギを内包している。しかしながら、そのような解決方法は、制御された二つのポンプ駆動装置と、比較的長いダクトと、多くの継手とを必要とするものであり、そして運動中のコンポーネントの慣性及び運動中の液体柱の慣性にもとづくものであって、そして圧力変動に関連するダクトのような種々のコンポーネントに伴なう種々の減衰因子の影きょうをうけるようになっている。従って本解決方法は信頼性の問題を有している複雑な機構に依存している。さらに、消費するエネルギが多くて、しかも多量の液体を使用するものである。常に危険を伴なっているキャビテーションを引き起こしており、そのような使用するのに適切なものでない。本解決方法の修正が特許文献４に開示されているが同様な欠点を有している。
【０００７】
特許文献４に開示された解決方法も同様な欠点を有している。
【０００８】
キャビテーションを用いた別の解決方法は特許文献５に開示されている。本装置は装置により低圧を発生することにもとづくものであり、その装置が周期的に洗浄する包囲体に接触するようになっていて、大気圧と低圧とが交互にかかるようになっている。本解決方法は、種々の圧力源を閉じた包囲体キャビテーに接続する数個の内部ダクトを含んでいる、モータにより回転されるロータにもとづいている。本装置は、前述した多くの欠点を含んでいて、それにロータの使用が追加されており、本装置がダクト間の特殊継手を必要とし、エネルギ損失を生じ摩擦による摩耗を発生し、そして液体がロータを通過するためにシーリングの及び衛生上の問題がある。
【０００９】
ダクトが詰まると、例えば圧力が詰まりを取り除くのに十分な圧力の水を用いて充填し詰まりを解除することは公知な方法である。実施にあたって、本方法は著しい詰まりに限定されている。
【特許文献１】欧州特許出願公開第０５３８２００号明細書
【特許文献２】米国特許第４０２１２１号明細書
【特許文献３】欧州特許出願公開第０５２１１１９号明細書
【特許文献４】欧州特許出願公開第０７６６５３５号明細書
【特許文献５】欧州特許出願公開第１１４６９１４号明細書
【発明の開示】
【発明が解決しようとする課題】
【００１０】
本発明の目的は接近しにくい閉じたキャビテーにおける充填、洗浄、詰まり除去の処置を可能にする方法と装置とを提供することである。
【００１１】
詳しくは、本発明の目的は、短時間においてすぐれた結果の得られる充填、洗浄、詰まり除去に適切な方法と装置とを提供することである。
【００１２】
本発明のさらなる目的は、建設、化学、食品分野における、キャビテーが液体を輸送するダクト又はタンクのような分野、そして医療や歯科治療の分野における、キャビテーが動脈又は歯のような分野に適切な方法と装置とを提供することである。
【００１３】
本発明の目的は、小型で低価格の単純な装置と方法とを提供することである。
【課題を解決するための手段】
【００１４】
本発明の概念は、洗浄する対象物の入っている包囲体に急速な圧力解放のサイクルを加え、包囲体内部において流体、ガス、液体及びのり状物質の特殊な運動を引き起こし、包囲体における洗浄、充填、詰まり除去作用を高めることである。
【００１５】
より詳しくは、閉じた包囲体内部における困難な処置を行なうための装置であり、ダクトを介して前記閉じた包囲体に接続された包囲体を備えている装置であって；前記包囲体はモータにより作動するピストンを備えていて、前記包囲体は、急速な圧力解放を引き起こすために前記ピストンが前記包囲体内部において所定位置になった場合、外部の流体リザーバと連通可能な特殊な幾何学形状を備えており、装置は、前記包囲体内において圧力の低下をもたらすように前記ピストンが前記包囲体の体積を増加する場合、閉じたままになっている出口バルブを備えている。
【００１６】
前記モータは空気式装置であってもよくて、ガス入口と、前記包囲体の前記ピストンに接続されたピストンと、ガス出口とを備えた閉じた包囲体を備えている。
【００１７】
装置がばねを備えていてもよくて、前記ばねは、前記モータに対向していて、前記ピストンを第一方向へ移動するようになっており、前記モータが前記ピストンを反対方向へ移動するようになっている。
【００１８】
前記包囲体は、前記ピストンが所定位置に到達した場合に包囲体の空間を外気と連通し急速な圧力解放をもたらすようになっている穴、溝又は断面拡大部分を備えている。
【００１９】
装置が、端部の一方が前記包囲体の中に貫通するようになっていて、そして端部の他方が流体リザーバに接続されているダクトを備えていてもよい。
【００２０】
装置が、一本以上のチューブが横断するようになっている、シリコン又はエラストマーで作られた円錐体を備えていてもよくて、前記円錐体は前記包囲体の中へ貫通するようになっていて、前記包囲体の開口部に位置決めされるようになっている。
一方のダクトは前記円錐体からより長く突出していて、前記包囲体内部により深く挿入されるようになっている。
【００２１】
本発明は、ダクトを介して装置の包囲体と連通している閉じた包囲体における困難な処置をするための処置方法にも関するものであって、モータがピストンを前記包囲体の体積を減少する方向に押していて、前記包囲体の圧力は出口バルブが開かれていることにより一定に保たれている段階と；前記モータが前記包囲体の体積を増加するように前記ピストンを反対方向に引いていて、前記出口バルブが閉じられ、前記包囲体の圧力が減圧されるようになっている段階と；前記ピストンが前記包囲体の特殊な幾何学的形状に到達した場合、前記包囲体が外部流体と連通することにより、前記包囲体内の急速な圧力解放が行なわれる段階と；を含んでいる処置方法。
【００２２】
本発明による方法と装置とは歯又は骨の洗浄及び充填に使用されてもよい。
【００２３】
これらの目的、特徴及び利点をこれに限定するものではないが添付図面を用いた特定の実施形態を例にして以下に詳述する。
【発明を実施するための最良の形態】
【００２４】
図１〜３は本発明の概念を説明する装置の概略図である。
【００２５】
図１は閉じたキャビテー１を図示していて、洗浄する対象物はキャビテー１に置かれている。本発明による装置が第一開口部を介してキャビテーに接続された減圧手段２と、第二開口部を介して包囲体に接続された圧力急速解放手段３とを備えていて、本実施形態においては減圧手段２はポンプであって、圧力急速解放手段３はバルブタイプの放出装置であり、かつ流体４の入っているリザーバに接続されていて、本実施形態において、その流体４は大気圧の空気である。
【００２６】
単純化するために、キャビテーは概略的に長方形で図示されている。しかしながら、キャビテーは複雑な形状であってもよくて、特に凹部を備えていてもよい。
【００２７】
前述の装置を用いた本発明における洗浄方法は基本的な以下の段階を含んでいて：
包囲体に存在する空気を吸い出す吸引ポンプ２を用いて包囲体１内部の圧力を減圧する段階と；
所定のしきい圧力より減圧されると、バルブ３により急速な解放がもたらされ、すなわち空気４が包囲体の中に急流入し、そして包囲体内部における急激な圧力上昇がもたらされる段階と；である。
前述の段階は繰り返される。
【００２８】
減圧手段２は、ポンプのような機械式のものであってもよいし、タービンのような油圧式のものであってもよいし、あるいは作動サイクルが連続運転とみなすことができるのに十分な高作動サイクルのバイブレーションポンプ（vibration pump）のような電気機械式のものであってもよい。減圧装置は連続的あるいはほぼ連続的に作動されるので、包囲体内でほぼ恒常的な空気流れが発生されている。
【００２９】
解放装置３は急速な圧力上昇をもたらすようになっていて、例えば大気圧の空気のような一定圧の外気に連通して包囲体を急速に低圧にすることのできる単純な装置であってもよい。解放装置３がボールを備えた単純な機械式装置であってもよくて、そのボールは包囲体の開口部を遮断するようになっており、そしてばねに接続されていて、そしてこのボールは可動であって、包囲体の内部と外部との圧力差がばねの力に十分対抗できる値に到達した場合包囲体の開口部を解放するようになっている。この装置は、圧力低下が所定のしきい値を越えた場合にバルブを開くことを可能にする、弾力性一定材料で作られていてもよい。この現象はほぼ恒常的な流れにおける急激な変化をもたらす。
別の実施形態として、装置は制御されてもよくて、例えばバルブが機械的に制御されていてもよい。
【００３０】
前述の二つの作用の組合わせと反復とが包囲体内部における激しい運動を伴なった空気の循環を可能なものにしていて、単純流れに比較してすぐれた洗浄が可能となっている。
【００３１】
装置はいずれの流体４を用いてもよい。水のような液体の場合、その非圧縮性により少なくともわずかな空気泡が包囲体内部に残存しているので、装置は効果のあるものとなっていて、その空気泡は、包囲体の壁面の不完全な幾何学的形状と、例えば開口部における固体又は流体の汚染物の存在と、包囲体のシーリングの不完全性とにもとづく現象によるものであり、装置が前述した圧力サイクルを発生することを可能にしている。本発明の概念によると、従来技術と異なって著しいキャビテーション条件は考りょされずかつ必要もない。しかしながら、本発明はこれら著しい条件に匹敵するもので、必要とするなら本装置をそのような条件下で運転することを妨げるものではない。
【００３２】
図２は別の実施形態を図示する概略図である。本実施形態において、装置は第三開口部を介して包囲体１に流体６を供給手段５をさらに備えていて、この場合流体６は水である。供給手段は、所定の圧力、好ましくは高圧で一定圧における水リザーバに接続された単純なダクトであってもよい。
【００３３】
本装置は以下の段階を実行することが可能であって：
包囲体に存在する空気を吸い出す吸引ポンプ２を用いて包囲体１内部の圧力を減圧する段階と；
供給手段５から供給された水で包囲体を充填する段階であって、この充填する段階は入口における水圧と手段２による吸引とにより促進されるようになっている、充填する段階と；
所定のしきい圧力より減圧されると、バルブ３により急速な解放がもたらされ、すなわち空気４が包囲体の中に急流入し、そして包囲体内部における急激な圧力上昇がもたらされる段階と；である。
【００３４】
この装置は以下の作用を達成できるようになっていて：
包囲体内部の空気の解放が包囲体内部に衝撃をもたらし、その衝撃は水の非圧縮性により包囲体の空間に伝達され；
特別な充填方法を用いることもなく、包囲体は水で充満され、この充填が常に水を供給する場合に比較してすぐれたものとなっている。詳しくは、この装置は包囲体のいずれのすみにおいても急速な解放の作用を受けるようになっている；
にもかかわらず、わずかな残存気泡があって、包囲体がほぼ水で充満されている場合でさえも吸引続いての解放メカニズムが継続作動されることを可能にしている。これらの空気泡は非常に小さなものであり、大気圧下では裸眼で見ることはほとんど不可能である。空気泡は解放により引き起こされた急激な対流運動により不規則な運動を行ない、圧力減少に伴なって体積は増加し、この体積の変化が液体における対流運動のさらなる原動力となっている。これらの現象のために、気泡は能動的に表面の洗浄を行なうようになっており；
包囲体内における洗浄作用は著しく効果的なものとなっている。
【００３５】
結局のところ、装置は二つの補間し合う流体である空気と水との作用を組合せることを可能にしていて、空気は圧力低下とそれに続く急激な解放メカニズムを可能にするものであり、そして水は必要に応じて液体洗浄剤を加えて、空気のみによるよりもすぐれた洗浄作用をもたらし、そして衝撃波の伝達にも効果的に作用している。当然のことであるが、流体である液体、気体及びのり状のものいずれの組合せも可能であって、懸濁液である固体粒子を含んでいる液体の使用も可能である。
【００３６】
この装置及び方法は改善した洗浄を提供することが可能である。本発明における原理は、第二の用途として包囲体の中に置かれた対象物を洗浄することに適用可能である。
【００３７】
さらに、包囲体１を水で充満することも可能にしている。従って、本装置は包囲体の遮断解除にも適したものである。というのは、充填が改善されたものとなっていて、単純流れが到達することは困難な区画に充填することを可能にしていて、そして急速な圧力解放が遮断解除に能動的に作用する衝撃の伝達を可能にしているからである。
【００３８】
図３は図１における装置の別の実施形態を図示していて、減圧及び急速な圧力解放の作用を使用するために、包囲体１に単一の開口部だけを必要とするものである。この場合、バルブ形状の圧力解放装置３は、減圧機構の出口ダクトの開口部に接続されている。
【００３９】
図４は図１とは別の実施形態を図示している。この装置は、第一開口部を介して包囲体１に接続された出口バルブ７と、前述の解放装置３とを備えている。包囲体がピストン８により閉止された開口部分を備えていて、このピストンはモータ９の作用により矢印Ａ方向又はその反対方向に移動できるようになっている。
【００４０】
この装置の運転方法は以下のとうりである：
第一段階において、モータ９がピストン８を矢印Ａと反対方向に押し、空気がバルブ７を介して包囲体から吐出され、包囲体の圧力が一定に保持されている；
モータ９がピストンを矢印Ａの方向に移動すると、その結果包囲体の圧力を減圧する作用がもたらされ、この段階においてバルブ７は閉じたままである；
圧力が所定値を超過すると、装置３が包囲体内部を急速に解放し、圧力の急上昇をもたらし包囲体を空気で充填する。
【００４１】
従って、この装置は前述した図１における装置の方法を使用することが可能である。
【００４２】
本実施形態において、減圧方法は、バルブ７、ピストン８及びモータ９により行なわれる。
【００４３】
図５ａ〜５ｃは、単純な急速圧力解放装置を備えた図４における装置の種々の実施形態を図示している。
【００４４】
詳しくは、図５ａは円筒状包囲体の断面を図示していて、包囲体の壁面に穴１１が形成されていて、空気が大気圧に連通することを可能にしている。本装置において、矢印Ａ方向に移動し、包囲体１を低圧に保っているピストンが穴１１を越えた位置に到達すると低圧の包囲体が大気圧の外部空気に連通し急速な解放作用が引き起こされる。従って、急速圧力解放装置は本装置におけるピストン８と穴１１との組合せにより充填されている。
【００４５】
本装置は、ピストン８により減圧２と急速解放３との二つの機能を組合わせていて、制御可能な装置としていて、従来の二つの手段が独立に作動される装置とは異なるものとなっている。
【００４６】
図５ｂにおける装置は、穴１１が溝１２に置き換えられている実施形態を図示している。
【００４７】
図５ｃにおける装置は、穴１１が包囲体の断面に拡がった拡大部分１３に置き換えられている実施形態であって、空気が包囲体の拡大部分の壁面とピストンとの間にあるスペースを介して横側に通過できるようになっている。
【００４８】
図６は、本発明における別の実施形態を図示していて、骨の内部を洗浄し樹脂を充填することに応用したものである。本装置は図４及び５に概略的に図示した原理にもとづくものである。
【００４９】
ピストンを洗浄し充填する骨１９の内部空間１８に直接的に接触させることは不可能であるので、特殊な装置２０が使用される。この装置が円筒状包囲体１を備えていて、その包囲体１は、ダクト２１を介して骨のキャビテー１８に接続されており、ダクト２１は開口部２２を介して骨の内部に貫通していて、シールは開口部に押し込まれた円錐体を使用することにより提供され、ダクトの貫通を可能にしている。この円錐体はエラストマー又はシリコンにより作られていてもよくて、単純に押し込むことにより保持されるようになっていて、骨内部における減圧も円錐体を所定位置に保持するようになっている。
【００５０】
本装置は空気圧モータ９とばね１０とにより作動されるピストン８を備えている。ピストン８は包囲体１の断面を十分におおうものであって、移動により圧力変動をもたらすようになっている。装置はバルブ７と壁面における穴１１とを備えていて、図４との関係で前述したものである。流体６を供給するダクト２３も開口部２２を介して骨のキャビテー１８に接続されている。包囲体１８及び１は同一圧力であって、従って単一の包囲体となっており、前述の方法を適用することができる。
【００５１】
本装置の実施形態において、モータ９は、包囲体１にシールされて固定された包囲体２３に基づく空気式装置であって、ピストン８に接続されたピストン２４と、空気入口２５と、空気出口２６とを含んでいる。当然のことであるが、モータ９とばね１０との作用で方向を対称的に変更することができる。
【００５２】
ピストン８及び２４と、包囲体１及び２３とは各用途に必要とされる圧力変動及び力が得られるように寸法決めされている。
【００５３】
モータは、ばね、電気モータ等のような、他の等価な装置手段の組合せのいずれであってもよい。
【００５４】
図７ａ〜７ｃは装置の運転を図示している。
【００５５】
図７ａにおいて、ピストンは装置２０のキャビテーの中央にある。ばね１０が矢印Ａと反対方向にピストンを押す力を作用する。装置はこの段階において、ばねの圧縮力が、入口２５を介して流入している空気の圧力を受けるピストン２４によりピストン８に作用する空気の反力より大きくなっている。ピストンのこの移動が出口バルブを介しての空気の流出をもたらし、包囲体１の圧力は一定に保たれている。
【００５６】
図７ｂに図示するピストン８の最終トラベルにおいて、チャンバ２３においてピストン２４に作用する空気圧力は、ばね１０の力に対抗するのに十分なものであって、ピストンは矢印Ａの方向に移動を開始する。この運動中に、バルブ７は閉じたままであり包囲体１における空気圧は減圧される。同時に、包囲体は流体６で充填される。
【００５７】
ピストン８が図７ｃに図示する位置に到達すると、包囲体１は開口部１１により急速に外気と連通し、開口部１１を介して空気が急流入する。というのは、包囲体１が低圧だからである。同時に、包囲体２３は、ピストン２４の位置がチャンバ２３の出口開口部２６を解放するようになっていて、従って加圧空気が包囲体２３から流出し、ピストン２４に作用している空気力が急激に減少し、再度圧縮されたばね１０の力より小さいものとなる。矢印Ａと反対方向にピストンの移動が再開する。
【００５８】
このようにしてサイクルが続き、包囲体１及び１８内部において減圧と急速な圧力解放とが生じている。
これらのサイクルは、最初キャビテー１８を洗浄するために、水の供給により実行されてもよくて、リザーバ６は水により充填されていて、続いて水が樹脂と交換されサイクルはキャビテー１８が樹脂で充填されるまで続行される。この装置はすぐれた洗浄と充填との両方を短時間に実行することを可能にしている。
【００５９】
本装置は、一方で洗浄流体６を用いて骨のキャビテー１８の洗浄を可能にしている。さらに、洗浄流体の代りにペーストを用いてキャビテーにペーストを充填することも可能である。
【００６０】
装置１において、達成されるキャビテー１内部の圧力曲線を図８に図示する。ピストンが包囲体１の体積を減少させている第一段階において、圧力は一定であり大気圧である。ピストンが包囲体１の体積を増加する第二段階において圧力は漸次減圧され、第三段階において圧力は短時間で大気圧に急上昇している。
【００６１】
当業者においては、本装置を洗浄する対象物に使用することができる。
【００６２】
さらに、本装置は他の特殊な条件下で作動することができるものであって、その条件とは流体の相変化があり、又はキャビテーション現象のある条件である。本装置には圧力センサのような補助コンポーネント、あるいは補助的に振動及び／又は熱を付加するために流体に接触又は包囲体に浸せきされた例えば超音波タイプのトランスデューサのような装置を取り付けることも可能である。
【００６３】
本発明による装置と方法とは：
種々の分野の用途に適切なものであり；
短時間におけるすぐれた洗浄性能、充填性能、及び解放性能を可能にするものであり；
著しく簡単なもので、かつ低コストであり、一回の使用で使い捨てが可能であり、例えば衛生上の要求が大きい医療及び歯科の分野において著しく利点のあるものとなっていて；
大型のものではなく、外部ダクト及び処置すべきキャビテーに簡単に接続することができ；
ガスの供給あるいは必要に応じて流体の供給によるだけで簡単に運転できるものであり、多量のエネルギを必要とするものではなく；
充填するだけで作動できる；
との利点を有している。
【図面の簡単な説明】
【００６４】
【図１】図１は、本発明の概念を説明する概略図である。
【図２】図２は、本発明の概念にもとづく装置の概略図である。
【図３】図３は、図１を変形したものである。
【図４】図４は、ピストンを備えた実施形態である。
【図５ａ】図５ａは、圧力急速開放装置の一つの実施形態である。
【図５ｂ】図５ｂは、圧力急速開放装置の一つの実施形態である。
【図５ｃ】図５ｃは、圧力急速開放装置の一つの実施形態である。
【図６】図６は、本発明による装置を医療用に適用したものである。
【図７ａ】図７ａは、図６による装置の運転状態を図示している。
【図７ｂ】図７ｂは、図６による装置の運転状態を図示している。
【図７ｃ】図７ｃは、図６による装置の運転状態を図示している。
【図８】図８は、図４〜６による装置を用いて得られた時間を函数とした圧力曲線を図示している。
【図１】
2008501519.tif 000003
【図２】
2008501519.tif 000004
【図３】
2008501519.tif 000005
【図４】
2008501519.tif 000006
【図５ａ】
2008501519.tif 000007
【図５ｂ】
2008501519.tif 000008
【図５ｃ】
2008501519.tif 000009
【図６】
2008501519.tif 000010
【図７ａ】
2008501519.tif 000011
【図７ｂ】
2008501519.tif 000012
【図７ｃ】
2008501519.tif 000013
【図８】
2008501519.tif 000014
【国際調査報告】
2008501519.tif 000015
2008501519.tif 000016
2008501519.tif 000017
2008501519.tif 000018
2008501519.tif 000019
2008501519.tif 000020